(57)【特許請求の範囲】
【請求項１】
ねじ軸に対して螺合するねじ孔を有するナット本体の外周面を、軸方向に、締付け工具が係合する係合部と、円形のロック部とに区分し、上記ロック部に内周面が円形のロックリングを被せ、上記ロック部に、ねじ孔の軸心に沿う方向でねじ孔に達する縦切目と、ねじ孔の軸心を横切る方向でねじ孔に達し、先端が縦切目に連続する横切目とによって画されたロック片を形成し、上記ロックリングの内面に、ナット本体を締め付ける前の状態においてロック片の先端側に位置し、ナット本体を締め付けた後の状態においてロックリングを回転させることによりロック片の外周面に噛み込みロック片をねじ軸に対して押し付ける突部を設け、上記ロックリングの内面の突部に、上記ロック片の横切目に嵌まる係合爪を形成したことを特徴とする緩み止めナット。
【請求項２】
上記ナット本体とロックリングの外周面の形状が、同形状の六角形をしている請求項１記載の緩み止めナット。
【請求項３】
上記ロック片の先端外面部分に、ねじ孔の軸心方向に逃げる逃げ面を形成したことを特徴とする請求項１又は２記載の緩み止めナット。
【発明の詳細な説明】
【０００１】
【発明の属する技術分野】
この発明は、緩み止め効果の高いナットの構造に関するものである。
【０００２】
【従来の技術とその課題】
従来、ナットの緩み止めを図る手段としては、ナットの座面側にばね座金を使用したり、ナットに割りピン嵌入用の孔を開けて割りピンを嵌め入れたり、あるいは偏心させた二つのナットを使用したりするものがある。
【０００３】
しかしながら、従来のナットの緩み止め手段は、ナットをねじ軸に螺合させて所定の締め付け力を作用させた後に、さらにナットとねじ軸との間にそれ以上の押し付け力を増大させる機能はなく、十分な緩み止め効果を発揮するものではない。
【０００４】
そこで、この発明は、ナットをねじ軸に螺合させて所定のトルクで締め付けた後に、さらにナットのねじ孔をねじ軸に対し強い押し付け力を作用させることが可能な緩み止め効果の高いナットを提供しようとするものである。
【０００５】
【課題を解決するための手段】
上記の課題を解決するために、この発明は、緩み止めナットを、次のような構成のナット本体と、ロックリングとの組み合わせによって構成したのである。
【０００６】
即ち、ねじ軸に対して螺合するねじ孔を有するナット本体の外周面を、軸方向に、締付け工具が係合する係合部と、円形のロック部とに区分し、上記ロック部に内周面が円形のロックリングを被せ、上記ロック部に、ねじ孔の軸心に沿う方向でねじ孔に達する縦切目と、ねじ孔の軸心を横切る方向でねじ孔に達し、先端が縦切目に連続する横切目とによって画されたロック片を形成し、上記ロックリングの内面に、ナット本体を締め付ける前の状態においてロック片の先端側に位置し、ナット本体を締め付けた後の状態においてロックリングを回転させることによりロック片の外周面に噛み込みロック片をねじ軸に対して押し付ける突部を設けた構成としたものである。
【０００７】
上記構成の緩み止めナットでは、ナット本体を所定のトルクでねじ軸に対して螺合させた後、ロックリングを締め付け方向に回転させて、ロックリングの内面の突部を、ナット本体に一体に形成されたロック片の外周面に噛み込ませれば、ロック片がねじ軸に対して強く押し付けられるので、ナット本体の緩み止め効果が増大する。
【０００８】
そして、ロックリングをロック片の噛み込み位置から元の状態に戻せば、ナット本体とねじ軸との間には規定のトルクの締め付け力が作用しているだけであるから、ナット本体を緩め方向に回転させることができる。
【０００９】
したがって、ロックリングの回転により、ナット本体がねじ軸に対して緩まないロック位置と、ナット本体をねじ軸に対して緩めることができる非ロック位置とを選択することが可能となる。
【００１０】
【実施の形態】
この発明に係る緩み止めナットを、六角ナットに用いた例を図１乃至図４に基づいて説明する。
【００１１】
六角ナットのナット本体１は、ねじ軸Ａに対して螺合するねじ孔２を有し、外周面が、軸方向に、レンチ等の締付け工具に対して係合する六角形の係合部３と、円形の薄肉に削られたロック部４とに区分されている。
【００１２】
ロックリング５は、上記外周面が上記ナット本体１の係合部３と同形状の六角形に形成され、内周面が、円形のロック部４の外面にぴったりと被せられるように円形に形成されている。
【００１３】
上記ナット本体１のロック部４には、ねじ孔２の軸心に沿う方向でねじ孔２に達する縦切目６と、ねじ孔２の軸心を横切る方向でねじ孔２に達し、先端が上記縦切目６に連続する横切目７とによって画されたロック片８が形成されている。
【００１４】
上記横切目７は、ロック部４の係合部３側の付け根部分に、円形のロック部４の約半周に亘って形成されている。
【００１５】
上記ロックリング５の内面には、ナット本体１を締め付ける前の状態においてロック片８の先端側に位置し、ナット本体１を締め付けた後の状態においてロックリング５を回転させることにより、ロック片８の外周面に噛み込み、ロック片８をねじ軸Ａに対して押し付ける突部９が形成されている。
【００１６】
この突部９は、ロック部４の縦切目６に嵌まる幅に形成され、この突部９の付け根部分には、ロック部４の縦切目６に上記突部９を嵌め入れて、ロックリング５を少し回転させた位置で、横切目７に嵌まる係合爪１０が形成されており、この係合爪１０をロック部４の横切目７に嵌め入れておくことにより、ナット本体１に対するロックリング５の脱落を防止することができる。
【００１７】
上記ロック片８の先端外面部分には、上記ロックリング５を回転させた場合に、ロックリング５の突部９をロック片８の外周面へと導く、ねじ孔２の軸心方向に逃げる逃げ面１１が形成されている。
【００１８】
上記のように構成された緩み止めナットを使用する場合、まず、ロックリング５の突部９と、ナット本体１のロック部４の縦切目６の位置を合わせて、ロックリング５をナット本体１のロック部４に被せ、この状態でねじ軸Ａにナット本体１を螺合させ、ナット本体１の座面に所定の締め付けトルクがかかるまでナット本体１を締め付けるようにする。
【００１９】
この後、ロックリング５だけを締め付け工具によって回転させ、ロックリング５の突部９をナット本体１のロック片８の外周面に噛み込ませると、ロック片８がねじ軸Ａに対して強く押圧されるため、ナット本体１のねじ軸Ａに対する緩みが防止される。
【００２０】
そして、ロックリング５の突部９をロック片８の噛み込み位置からロック片８の先端の逃げ面１１の位置までロックリング５を戻すと、ロック片８とねじ軸Ａとの押圧が解除されるので、この状態でナット本体１を緩めることができる。
【００２１】
図５及び図６は、この発明に係る緩み止めナットの他の例であり、上記第１の例のナットにおけるロック片８の外面の中途部分に、軸方向に縦溝１２を追加し、ロックリング５の内面に、締め付け前の状態で縦溝１２に嵌まる突部１３を追加したものである。このように、縦溝１２と突部１３を追加すると、ロックが二重に行われるので、緩み止め効果がさらに向上する。この第二の例において、第一の例と共通する部分には、同一の符号を付している。
【００２２】
【発明の効果】
以上のように、この発明に係る緩み止めナットは、ロックリングの回転により、ナット本体がねじ軸に対して緩まないロック位置と、ナット本体をねじ軸に対して緩めることができる非ロック位置とに選択して使用することができる。
【００２３】
また、ナット本体の外周面に一体に形成したロック部に、ロックリングを被せた構成であるため、ナット自体の高さも最小限に抑えることができる。
【図面の簡単な説明】
【図１】（ａ）はナット本体とロックリングとを分離してナット本体の方から見た斜視図、（ｂ）はロックリングの方から見た斜視図
【図２】（ａ）はナット本体の正面図、（ｂ）は（ａ）のＩ−Ｉ線の断面図、（ｃ）は（ａ）のII−II線の断面図、（ｄ）はロックリングの一部を切欠いた正面図、（ｅ）はロックリングの平面図、（ｆ）はロックリングの縦断面図
【図３】（ａ）はナット本体にロックリングを被せた状態を示す一部切欠き正面図、（ｂ）は（ａ）のIII −III 線の断面図、（ｃ）は（ｂ）の状態からロックリングを回転させてロックした状態を示す断面図
【図４】使用状態の断面図
【図５】この発明に係るナットの他の実施例を示し、（ａ）はナット本体とロックリングとを分離してナット本体の方から見た斜視図、（ｂ）はロックリングの方から見た斜視図
【図６】（ａ）は横切目部分で切断した状態を示す図５の実施例の断面図、（ｂ）は（ａ）の状態からロックリングを回転させてロックした状態の断面図
【符号の説明】
Ａ  ねじ軸
１  ナット本体
２  ねじ孔
３  係合部
４  ロック部
５  ロックリング
６  縦切目
７  横切目
８  ロック片
９  突部
１０  係合爪
１１  逃げ面
１２  縦溝
１３  突部
【図１】
0004053648.tif 000002
【図２】
0004053648.tif 000003
【図３】
0004053648.tif 000004
【図４】
0004053648.tif 000005
【図５】
0004053648.tif 000006
【図６】
0004053648.tif 000007